(57)【要約】【課題】鶏舎の底面の土壌を入れ替えすることができるようにした鶏舎構造の改良に関する。【解決手段】土壌３を入れ替え可能に収納する上面が開口した箱型の土台部２と、該土台部２上に立設されて底面が開口した建屋部４と、ガイドレール５と該ガイドレール５に沿って走行する車輪６又は走行体とからなる移動構造部の一方を土台部２の対向して平行に延びる一対の土台側壁部２１の上面に形成し、移動構造部の他方を前記土台側壁部に上下に対向する建屋部４の鶏舎側壁部４１の底面に形成してなることを特徴とする。【選択図】図１
2014079211.tif 000002
【特許請求の範囲】
【請求項１】
土壌を入れ替え可能に収納する上面が開口した箱型の土台部と、
該土台部上に立設されて底面が開口した建屋部と、
前記土台部に収納された土壌を入れ替える入れ替え手段とからなっており、
該入れ替え手段が、建屋部を土台部に対して摺動する摺動構造を用いて土台部の上面を開口して土壌を入れ替える手段、または土台部内の土壌をベルトコンベヤを用いて土台部の外部の土壌と入れ替える手段からなっていることを特徴とする鶏舎構造。
【請求項２】
入れ替え手段が、ガイドレールと該ガイドレールに沿って走行する車輪又は走行体とからなる移動構造部からなっており、
移動構造部の一方を土台部の対向して平行に延びる一対の土台側壁部の上面に形成し、移動構造部の他方を前記土台側壁部に上下に対向する建屋部の建屋部の側壁部の底面に形成してなることを特徴とする請求項１に記載の鶏舎構造。
【請求項３】
鶏舎が密封構造からなっており、該鶏舎の一方の側壁に、鶏舎外の空気を取入れるメッシュからなる通気口と、取り入れた空気を除菌するフィルター部を介して空気を鶏舎内に取り入れる導入口とを設けてなり、
鶏舎の上部には鶏舎内の空気をダクトを介して引き込むと共に、フィルターを介して吐出口から鶏舎の外部へ排気させる送風器とを備えてなることを特徴とする請求項１または２に記載の鶏舎構造。
【発明の詳細な説明】
【技術分野】
【０００１】
本発明は、鶏舎の底面の土壌を入れ替えすることができるようにした鶏舎構造の改良に関するものである。
【背景技術】
【０００２】
従来、養鶏の鶏舎などは固定式の構築物からなっており、土中の細菌によって帰省中や疾病が発生しやすく適切な環境が維持しにくい。
そこで、土を踏ませない人工コントロールのもとでの飼育が行われているが、飼育環境としては土壌の上での飼育が家畜にストレスを与えず、成長には望ましい。
そこで、例えば、特開平１０−２３８３６号の移動式鶏舎及び鶏の飼育法では、鶏舎をドーム型とし、放飼場の上に設営し、一定期間経過すると前記鶏舎を他の放飼場に移転する構成が開示されている。
しかし、上記構成では広い放飼場が必要となり、また、鶏舎は放飼場を転々と移動することになり、鶏舎を大型化することができず、また移動個所が決まっていないでの、移動作業が繁雑となるという問題点があった。
【先行技術文献】
【特許文献】
【０００３】
【特許文献１】特開平１０−２３８３６号公報
【発明の概要】
【発明が解決しようとする課題】
【０００４】
この発明の解決しようとする課題は、鶏舎の移動を一定にして、移動時に床面となる土壌の入れ替えを行えるようにして環境の維持を図った鶏舎構造を提供することにある。
【課題を解決するための手段】
【０００５】
上記課題を解決するために、請求項１の発明では、
土壌を入れ替え可能に収納する上面が開口した箱型の土台部と、
該土台部上に立設されて底面が開口した建屋部と、
ガイドレールと該ガイドレールに沿って走行する車輪又は走行体とからなる移動構造部の一方を土台部の対向して平行に延びる一対の土台側壁部の上面に形成し、移動構造部の他方を前記土台側壁部に上下に対向する建屋部の鶏舎側壁部の底面に形成してなることを特徴とする。
請求項２の発明では、
前記鶏舎が密封構造からなっており、該鶏舎の一方の側壁に、鶏舎外の空気を取入れるメッシュからなる通気口と、取り入れた空気を除菌するフィルター部を介して空気を鶏舎内に取り入れる導入口とを設けてなり、
鶏舎の上部には鶏舎内の空気をダクトを介して引き込むと共に、フィルターを介して吐出口から鶏舎の外部へ排気させる送風器とを備えてなることを特徴とする。
【発明の効果】
【０００６】
底面が開口した建屋部を土台部に対して移動構造部を用いて一方向に移動することで、建屋部のあった部分の土台部内の土壌が露出するので、該土壌を入れ替えることができる。
土壌の入れ替え後は、前記建屋部を元の位置に戻すことで、同様に使用することができる。
また、鶏舎内の空気の流通を除菌フィルターを介して行うことで、鶏舎内の環境を維持し、また外部への排気を除菌することもできる。
【図面の簡単な説明】
【０００７】
【図１】実施例１の鶏舎を模式的に示す断面図である。
【図２】建屋部を移動した状態の側面図である。
【図３】鶏舎の通気構造を模式的に示す断面図である。
【図４】排気構造を示す拡大断面図である。
【図５】吸気ダクトの鶏舎内での配置を示す平面から見た図である。
【図６】実施例２の鶏舎を模式的に示す断面図である。
【発明を実施するための形態】
【０００８】
以下に、この発明を鶏舎に適用した場合の好適実施例について図面を参照しながら説明する。
【実施例１】
【０００９】
鶏舎１は、図１に示すように床面の土壌３を入れ替え可能に収納する上面が開口した箱型の土台部２と、該土台部２上に立設されて底面が開口した建屋部４と、ガイドレール５と該ガイドレール５に沿って走行する車輪６とからなっている。
【００１０】
土壌３は、本実施例の場合、黒土８０％と、落葉１０％と、竹炭粉町１０％を混合して用いている。
上記土壌３は、定期的に、本実施例では３０日間隔で入れ替えすることで、継続的に、鶏糞の発酵を抑え悪臭を消す作用が見られ、また養鶏の鶏舎内の土壌の上での放し飼いにより養鶏の健康面に優れて死亡率が減少し、健康・衛生面での各段の効果が確認された。
【００１１】
前記土壌３の交換は、建屋部４を土台部２から移動させて行われる。
移動は人手で行ってもよいし、モータを利用して建屋部４を牽引してもよい
土台部２は、上面が開口する有底の箱型で四周を囲む側壁部の高さが８００ｍｍに形成されたコンクリートからなっており、その内部に高さ６００ｍｍで前記土壌３が充填されている。
この土壌３の上面が建屋部４の床面となって、養鶏が放し飼いされる。
【００１２】
そして、前記土台部２の対向する土台側壁部２１の上部には、それぞれガイドレール５が固定されている。
該土台側壁部２１と交差して隣接する土台側壁部は、同じ高さでもよいがガイドレールは設けられないので、建屋部４と接するため土台側壁部の上面をガイドレール５の上端と同じ高さに設定してもよい。
【００１３】
建屋部４は、前記土台部２に沿って四周を囲む鶏舎側壁部４１、４２と、鶏舎側壁部４１、４２上を塞ぐ天井部４５とからなっている。
そして、前記ガイドレール５が設けられた土台側壁部２１に上下で対向する鶏舎側壁部４１の下部には、前記土台側壁部２１に対応して略同一横断面に形成された鶏舎基礎部４３が形成されており、該鶏舎基礎部４３の上に鶏舎の側面を覆う側壁４１、４２が形成されている。
【００１４】
前記鶏舎基礎部４３の底面には、前記ガイドレール５にガイドされて転動する車輪６が取り付けられている。
車輪６に替えて、ガイドレール５に沿って摺動する走行体を設けてもよい。
上記実施例では、土台部２側にガイドレール５を設け、建屋部４側に車輪６又は走行体を設けた場合を例示したが、逆に土台部２側に車輪６又は走行体を設け、建屋部４側にガイドレール５を設けてもよい（図示せず）。
【００１５】
これによって、建屋部４は、土台部２のガイドレール５ａに沿って建屋部４の車輪６がガイドされながら回転して建屋部４をガイドレール５の延長方向へ移動することができる。
従って、土台部２の上面が開放され、土台部２内に収納されていた土壌３を新しい、除菌された土壌３と入れ替えることができる。
【００１６】
そして、土壌３の入れ替え後には、前記と逆方向に建屋部４を移動させて、建屋部４を土台部２の元の位置に復帰させることができる。
また、土台部２の前記土台側壁部２１の延長線上の地面には、前記ガイドレール５を延長した延長レール５’を設けておくことが、建屋部４の移動時に建屋部４を鑑定して支持することができて好ましい（図２参照）。
【００１７】
延長レール５’に替えて、建屋部４を支持する支持台５ａ’を設けてもよい。
また、建屋部４側にガイドレールを設ける場合には、延長レールに替えて車輪又は走行体を土台側壁部２１の延長線上の地面に回転可能に設けておけばよい。
【００１８】
図示例では、東南側の鶏舎側壁部４１に、外側にガラス窓７が設けられて日照を鶏舎１内に取り入れることができるようになっている。
ガラス窓７としてペアーガラスを用いれば、断熱性や防音性に優れて好ましい。
そして、上記ガラス窓７の内側には、ガラス窓５に沿って上下にスライド可能な遮光性のカーテン８やロールカーテンを取付け、またはブラインドなどの光量調整手段を取り付けて、日照の光量を調整してもよい。
【００１９】
建屋部４は、土台部２上に設置されると密封構造となる。
鶏舎１の通気構造として、図３に示す建屋部４は、その鶏舎側壁部４１に通気口１０が設けられている。
上記鶏舎側壁部４１は、図示例では、厚みが５０ｍｍのコンクリートの壁体からなっており、該壁体に通気口１０となる縦３００〜５００ｍｍの開口を上下に一定間隔で複数（図示例では２つ）穿ち、該開口には外側にメッシュ１１を取り付けている。
【００２０】
そして、メッシュ１１の内側には通気性を有し除菌機能や消臭機能を有するフィルター１２を設けている。
上記フィルター１２として、例えば孟宗竹などの竹炭を粉砕した顆粒体や粉体を布袋や通気性を有する素材の容器に収納したものを用いたが、その他、公知のフィルターを用いることができる。
上記フィルター１２を保持するため、フィルター１２を前後に挟んで前記メッシュ１１と対峙する内側メッシュ１３を通気口１０の内側に設けてもよい。
【００２１】
これにより、メッシュ１１、１３を通して外気を建屋部４内に取り入れることができる。
また、除菌フィルター１２を設けることで、大気中のウイルスや渡り鳥などの動物が撒き散らす病原菌を除去して外気を建屋部４内に導入することができる。
そして、本実施例では、建屋部４の天井から３００ｍｍ下がった位置に最上段の通気口１０が配置されている。
【００２２】
一方、建屋部４の天井部４５には、鶏舎１内の空気を排気する排気口１５が設けられている。
排気口１５は、本実施例では建屋部４の天井に開口されており、建屋部４から外方へ延出されて鶏舎１内の空気を鶏舎１の外へ吐き出す排気ダクト１６と接続されている。
ここで、排気口１５と排気ダクト１６との間には、除菌機能や消臭機能を有するフィルター１７を設けておけば、鶏舎１内の空気を除菌・洗浄、消臭して鶏舎外部へ排気することができる。
【００２３】
建屋部１４内には、図４、図５に示すように、連通管２０に略等間隔に配置されて天井部４５から垂下する多数の吸気ダクト２１と、前記排気口１５を覆うと共に送風装置３０を支持ないし収納し、前記吸気ダクト２１から吸引された空気を集めて排気口１５へ送る送風ハウジング３２とが設けられている。
上記構成からなっているので、送風装置３０の作動で、吸気ダク２１から建屋部４内の空気を吸引し、同時に通気口１０から外気を鶏舎１内に取り込む。
【００２４】
吸引された鶏舎内の空気は、多数の吸気ダクト２１から送風ハウジング３２内に集められて、送風装置３０によって排気口１５から除菌フィルター１７を通過し除菌され、排気ダクト１６に送られて、鶏舎１外へと吐き出すことができる。
鶏舎１内には空気の汚れや悪臭を検出するセンサを設け、該センサの検出値を段階的に判定し、該判定結果に基づいて前記送風装置３０の制御部を制御して、送風量を予め設定した値に自動制御しうることが好ましい（図示せず）。
【実施例２】
【００２５】
図７は、土壌の入れ替え手段として、ベルトコンベヤ５０を用いた異なる実施例２を示す。
この鶏舎１では、土台部２または建屋部４に開閉部５１を設けておき、該開閉部５１を一定期間毎に開いて、土台部２内と鶏舎１外部との間に掛け渡すように、ベルトコンベヤ５０を配置する。
【００２６】
そして、土台部２内の土壌をベルトコンベヤ５０で鶏舎１の外部へ排出し、鶏舎１の外部に予め用意しておいた交換用の土壌を前記ベルトコンベヤ５０を逆転させて土台部２内に搬入することができる。
【００２７】
ベルトコンベヤ５０は、前記実施例１で建屋部４を移動させて土台部２の上面を開放した場合にも、土台部２内の土壌の入れ替えに用いてもよい。
その他、この発明は、前記実施例に限定されず、この発明の要旨を変更しない範囲で種々設計変更することができる。
【符号の説明】
【００２８】
１  鶏舎
２  土台部
３  土壌
４  建屋部
５  ガイドレール
６  車輪
７  ガラス窓
８  カーテン
１０  通気口
１１  メッシュ
１２  フィルター
１３  内側メッシュ
１５  排気口
１６  排気ダクト
１７  フィルター
２１   吸気ダクト
３０  送風装置
３２  送風ハウジング
４１、４２  鶏舎側壁部
４３  鶏舎基礎部
４５  天井部
５０  ベルトコンベヤ
【図１】
2014079211.tif 000003
【図２】
2014079211.tif 000004
【図３】
2014079211.tif 000005
【図４】
2014079211.tif 000006
【図５】
2014079211.tif 000007
【図６】
2014079211.tif 000008